(57)【要約】【課題】高い利便性を有すると共に、スナップ型とタブ型の電極パッドなどの電極器具と脱着可能とすることにより、衛生的でコストが抑えられる生体信号送信装置を提供する。【解決手段】生体信号送信装置３０は、生体の皮膚面に取り付けられる、例えば、スナップ型の電極パッド２１またはタブ型の電極パッドから入力した生体信号を無線信号として受信装置に送信する無線送信部を備えている。生体信号送信装置３０は、電極パッド２１の端子部２１２に接触する接触電極３１１を有し、装置本体部３３から突出した接触端子部３１と、接触端子部３１との間で、スリット状の隙間を介して装置本体部３３に設けられ、接触電極３１１を端子部２１２に接触させた状態で、端子部２１２を、接触電極３１１と共に、先端部に形成された凹部３２３により挟み込む弾性突状部３２とを備えている。【選択図】図５
2015112144.tif 000002
【特許請求の範囲】
【請求項１】
生体の皮膚面に取り付けられる電極器具から入力した生体信号を無線信号として、受信装置に送信する無線送信部を装置本体部に内蔵した生体信号送信装置であって、
前記電極器具の端子部に接触する接触電極を有した接触端子部であり、前記装置本体部から突出した接触端子部と、
前記接触端子部との間で、スリット状の隙間を介して前記装置本体部に設けられ、前記接触電極を前記電極器具の端子部に接触させた状態で、前記電極器具の端子部を、前記接触電極と共に、挟み込む弾性突状部とを備えたことを特徴とする生体信号送信装置。
【請求項２】
前記弾性突状部は、先端部に凹部が形成されている請求項１記載の生体信号送信装置。
【請求項３】
前記弾性突状部は、三角状の突起部として形成され、
前記接触端子部は、前記三角状の突起部の基端から先端に向かう斜辺に沿って、互いが接近するように一対形成されている請求項１記載の生体信号送信装置。
【請求項４】
前記一対の接触端子部のそれぞれの接触電極が前記電極器具の端子部により短絡したときに、前記無線送信部へ電源を通電する電源供給部を備えた請求項３記載の生体信号送信装置。
【請求項５】
前記装置本体部には、前記無線送信部に電源を供給する電池を収納する電池ホルダー部が形成されている請求項１から４のいずれかの項に記載の生体信号送信装置。
【発明の詳細な説明】
【技術分野】
【０００１】
本発明は、生体に取り付けた電極器具に接続することで、生体信号を離れた場所に設置された受信装置に送信することができる生体信号送信装置に関するものである。
【背景技術】
【０００２】
１２誘導心電図や、循環、呼吸、酸素飽和度といった生体情報は、医師が患者の状態を知る上では、重要な情報である。例えば、１２誘導心電図においては、電極器具の一例である電極パッドが、胸部や四肢などに１０個ほど取り付けられる。そして電極パッドからの生体信号は、電極パッドからの配線が接続された心電計の本体により記録される。
【０００３】
しかし、電極パッドからの配線は、例えば、携帯用のイベントレコーダで生体信号を記録しているときや、運動能力を測定するために被験者が自転車エルゴメータに搭乗して、生体信号を記録しているときなど、邪魔になる。
【０００４】
このような問題に対応するために、心電計と電極パッドとの間の配線をワイヤレスにした生体信号送信装置が開発され、例えば、特許文献１〜６として、知られている。
【０００５】
特許文献１に記載の無線型生体誘導電極は、胸部などの皮膚面に直接接触するように造られ、生体の皮膚面に取り付けられて、この生体から発生する生体信号を抽出する生体誘導電極部と、生体誘導電極部から抽出された生体信号を増幅して、増幅された生体信号を出力する生体信号形成機構と、この増幅された生体信号を無線信号として送信する送信器と、生体信号形成機構および送信器に電力を供給するマイクロ電池とを備えたものである。
【０００６】
特許文献２に記載の無線心電モニタは、患者に接触する接触面に形成され、同心型または離間型に形成された電極と、電極からの信号を増幅する増幅器と、デジタル符号化する符号化変調器と、無線信号として出力する送信器とが、ハウジングに格納されたものである。
【０００７】
特許文献３に記載の無線心電計システムおよびその方法には、電極コネクタ、送信器および受信器を備え、既存の電極及びＥＣＧモニタで作動するものである。電極コネクタは、使い捨てまたは再利用可能な単体電極に対する取り付け用のコネクタを含むことが記載されている。
【０００８】
特許文献４に記載の無線ＥＣＧシステムは、胸部組立体により検出した患者の心臓活動および呼吸速度に関わる生理学的データが、身体用電子ユニットから遠隔な基地局に送信されて、基地局にて、生理学的データがＥＣＧモニタ上で表示されるよう処理されるものである。この無線ＥＣＧシステムでは、胸部組立体が、電極または導電性接着剤と接続されるよう構成された複数の電極コネクタを接続する一つのフレキシブル回路で形成されており、電極コネクタはスナップ端子を有する電極と接続されるスナップ端子を含むことが好ましいと記載されている。
【０００９】
特許文献５に記載の装着型無線伝送式心電計は、心電を計測する心電計測ユニットおよび電極と、その心電計測ユニットが計測して出力した心電データを無線で送信する無線送信ユニットと、心電計測ユニットの出力信号に基づく単位時間当たり心拍数が所定数を超えた場合、その単位時間当たり心拍数の変化率が所定変化率を超えた場合および前記心電センサの出力信号に基づく拍動間隔が所定範囲を外れた場合のうちの少なくとも一つの場合である高負荷時に無線送信ユニットを作動させて所定時間に亘る心電データを送信させるＣＰＵと、を具えたものである。この装着型無線伝送式心電計は、電極を表面より突出させる粘着パッドが脱着可能に設けられている。
【００１０】
特許文献６に記載の電気リードを電極に接続するためのコネクタ・アッセンブリは、電気リードを電極の電気接点に接続するためのもので、開口部を通して電極の電気接点を受容して保持する保持プレートと、ボディおよびレセプタクルを含むハウジングを有して成るものである。このコネクタ・アッセンブリは、電気リードにより、ＥＧＣモニタ装置に接続されるが、代替的態様では、ＥＣＧ信号が携帯型システムモニタおよび/又は無線接続を通じてＥＣＧモニタ装置に送信されるように、電気導体が無線トランシーバーに電気的に接続されてもよいことが記載されている。
【先行技術文献】
【特許文献】
【００１１】
【特許文献１】特開平６−１８１８９１号公報
【特許文献２】特表平４−５０５５６４号公報
【特許文献３】特表２００４−５１２８４６号公報
【特許文献４】特表２００５−５３２８４９号公報
【特許文献５】特開２００６−１３６４０５号公報
【特許文献６】特表２０１２−５０３４９７号公報
【発明の概要】
【発明が解決しようとする課題】
【００１２】
特許文献１，２，５に記載の従来の生体信号送信装置では、電極パッドと無線送信する装置本体とが一体的に形成されているため、コンパクトで利便性が高い。しかし、この無線型生体誘導電極は、患者や被験者などの被測定者に粘着面を貼り付け使用すると、次の被測定者に使用できないため、使い捨てとなってしまう。これでは、生体情報の測定の度に、新たな無線型生体誘導電極が必要となってしまうため、コストが嵩んでしまう。
【００１３】
特許文献３，４の従来の生体信号送信装置では、電極と装置本体部とが配線によって接続されているため、ＥＧＣモニタ装置（受信装置）との間が無線信号で通信していても、この生体信号送信装置を患者に装着する点において、配線が邪魔となる。
また、特許文献３の従来の生体信号送信装置では、スナップ型やタブ型の使い捨ての電極パッドが使用できることが記載されているが、スナップ型またはタブ型の電極パッドを電極として取り付ける構造が図示されていないため、どのようにして取り付けられるのか判然としない。
【００１４】
更に、特許文献６の従来の生体信号送信装置では、スナップ型の電極パッドのみしか考慮されておらず、タブ型の電極パッドを使用することができない。
【００１５】
そこで本発明は、高い利便性を有すると共に、スナップ型やタブ型の電極パッドなどの電極器具と脱着可能とすることにより、衛生的でコストが抑えられる生体信号送信装置を提供することを目的とする。
【課題を解決するための手段】
【００１６】
本発明は、生体の皮膚面に取り付けられる電極器具から入力した生体信号を無線信号として、受信装置に送信する無線送信部を装置本体部に内蔵した生体信号送信装置であって、前記電極器具の端子部に接触する接触電極を有した接触端子部であり、前記装置本体部から突出した接触端子部と、前記接触端子部との間で、スリット状の隙間を介して前記装置本体部に設けられ、前記接触電極を前記電極器具の端子部に接触させた状態で、前記電極器具の端子部を、前記接触電極と共に、挟み込む弾性突状部とを備えたことを特徴とする。
【００１７】
本発明の生体信号送信装置によれば、無線信号により受信装置へ生体情報を送信することができるので、受信装置との間の配線が不要である。また、装置本体部から突出した接触端子部の接触電極と、弾性突状部との間に、電極器具の突出した端子部を嵌め込むことで、端子部と接触電極部とを接触させることができ、端子部を挟み込むことができるため、電極器具の端子部として、例えば、パッド部から突出した使い捨ての既存の電極パッドが使用できる。また、スリット状の隙間にシート状の電極器具を差し込んで、端子部を接触電極に接触させて、接触電極と弾性突状部とによりシート状の電極器具を、挟み込むことにより、シート状に形成された使い捨ての既存の電極パッドも使用することができる。
【００１８】
ここで、電極器具とは、生体情報を入力するために、生体に取り付けられるもので、電極器具の電極部が、直接皮膚面と接触して、電極部からの生体情報である電気信号をそのまま端子部に出力するものの他、内蔵される各種のセンサからの電気信号を端子部から出力するものも含まれる。
【００１９】
前記弾性突状部は、先端部に凹部が形成されていると、パッド部から突出した端子部に凹部が端子部の外周面に嵌って押さえ付けることができるため、接触電極と弾性突状部とにより、しっかりと端子部を保持することができる。
【００２０】
前記弾性突状部は、三角状の突起部として形成され、前記接触端子部は、前記三角状の突起部の基端から先端に向かう斜辺に沿って、互いが接近するように一対形成されているのが望ましい。電極器具として、シート状に形成された電極パッドを使用するときに、三角状の突起部として形成された弾性突状部と、三角状の突起部の斜辺に沿って、互いが接近するように形成された一対の接触端子部との間に、シート状の電極パッドを挟み込めば、電極パッドの端子部を挟み込む範囲を広く確保することができるので、しっかりと、端子部を挟み込むことができる。
【００２１】
前記一対の接触端子部のそれぞれの接触電極が前記電極器具の端子部により短絡したときに、電池からの電源が、前記無線送信部に通電される電源供給部を備えるのが望ましい。電極器具を挟み込んだときに電源供給部が無線送信部に通電するので、無駄な通電を排除することができるので、電池の寿命を延ばすことができる。
【００２２】
前記装置本体部には、前記電池を収納する電池ホルダー部が形成されていると、電池の交換が容易である。
【発明の効果】
【００２３】
本発明の生体信号送信装置は、受信装置との間の配線が不要であり、脱着式の電極器具が使用できるので、高い利便性を有すると共に、衛生的でコストを抑えることができる。
【図面の簡単な説明】
【００２４】
【図１】本発明の実施の形態に係る生体情報処理装置を示す図である。
【図２】図１に示す生体情報処理装置の生体信号送信装置の平面図である。
【図３】図２に示す生体信号送信装置の側面図である。
【図４】図２に示す生体信号送信装置の回路構成を説明するためのブロック図である。
【図５】図２に示す生体信号送信装置をスナップ型の電極パッドに装着した状態の平面図である。
【図６】図２に示す生体信号送信装置をタブ型の電極パッドに装着した状態の平面図である。
【図７】図２に示す生体信号送信装置の接触端子部の変形例の一部拡大図である。
【発明を実施するための形態】
【００２５】
本発明の実施の形態に係る生体信号送信装置の具体的な例を図面に基づいて説明する。
図１に示すように、生体信号処理システム１０は、生体である被測定者Ｍの生体情報に基づいて１２誘導心電図を測定する心電計である。生体信号処理システム１０は、被測定者Ｍの皮膚面に取り付けられる、電極器具の一例である電極パッド２０から入力した生体信号（電気信号）を、無線信号として送信する生体信号送信装置３０と、この無線信号を受信して、１２誘導心電図を印刷することができる受信装置４０とを備えている。
【００２６】
電極パッド２０としては、端子部がパッド部から突出したスナップ型の電極パッド２１と、シート状に形成されたタブ型の電極パッド２２とが使用できる。
スナップ型の電極パッド２１は、端子部がパッド部から突出した使い捨てのモニタリング電極である。スナップ型の電極パッド２１は、矩形状のパッド部２１１の接触面側が、粘着面になって被測定者の皮膚面に貼り付けられて固定される。この粘着面は、中央部に開口が形成され、皮膚面と接触する電極部が露出している。電極部は、おもて面に突起として突出した端子部２１２と導通している。
タブ型の電極パッド２２は、シート状で、軟質な使い捨てのモニタリング電極である。タブ型の電極パッド２２は、矩形状のパッド部２２１の接触面側が、電極部となると共に、粘着面になって皮膚面に貼り付けられて固定される。パッド部２２１の一端部にタブ部２２２が設けられている。タブ部２２２は、皮膚面側が端子部であり、おもて面側が絶縁面となっている。
【００２７】
このような電極パッド２０に接続される生体信号送信装置３０は、図２および図３に示すように、接触電極３１１を有する接触端子部３１と、接触端子部３１と共に、電極パッド２０を、挟み込む弾性突状部３２と、生体信号を無線信号により送信する回路が内蔵された装置本体部３３とを備えている。接触端子部３１と弾性突状部３２と装置本体部３３とは、樹脂成形により一体的に形成することができる。
【００２８】
接触端子部３１は、弾性突状部３２の基端から先端に向かう斜辺３２ａに沿って、互いが接近するように、一対が突出して形成されている。接触端子部３１は、装置本体部３３と一体的に形成された腕部３１２の先端から、接触電極３１１の先端部が突出している。
接触電極３１１は、腕部３１２に沿って内部を配線され、装置本体部３３の回路に接続されている。
【００２９】
弾性突状部３２は、一対の接触端子部３１との間で、スリット状の隙間３２１を介して形成された三角状の突起部３２２である。弾性突状部３２の突起部３２２の先端部には、スナップ型の電極パッド２１の端子部２１２の外周面に嵌って押さえ付けるための凹部３２３が形成されている。
【００３０】
装置本体部３３は、平面視して矩形状に形成された板状部３３１と、板状部３３１より幅が狭く、厚みが厚く形成され、回路および電源である電池Ｃを内蔵するための収納部３３２とを備えている。収納部３３２には、電池Ｃを収納するための電池ホルダー部３３３が形成されている。
次に、装置本体部３３の収納部３３２に内蔵された回路構成を、図４に基づいて説明する。
生体信号送信装置３０の回路構成は、増幅部３４１と、ＡＤ変換部３４２と、無線送信部３４３と、電源供給部３４４とを備えている。
増幅部３４１は、接触電極３１１からの生体信号を増幅するものである。ＡＤ変換部３４２は、増幅部３４１により増幅されたアナログ信号の生体信号をデジタル信号の生体信号に変換するものである。
【００３１】
無線送信部３４３は、デジタル信号となった生体信号に基づいて通信パケットを生成すると共に、この通信パケットを無線信号にしてアンテナ３４５を介して、受信装置４０へ送信するものである。無線送信部３４３は、受信装置４０と通信できれば、様々な通信方式が採用できる。通信方式は、例えば、ブルートゥース（登録商標）としたり、ＷＩ−ＦＩ（登録商標）としたりすることができる。
無線送信部３４３は、受信装置に対して、他の生体信号送信装置３０と識別するための識別情報を有している。この識別情報は、無線送信部３４３内に予め設定され、通信パケットに含めることで、受信装置４０側で生体信号送信装置３０の被測定者への取り付け位置を特定することができる。識別情報は、任意の情報としたり、ＭＡＣアドレスとしたりすることができる。
【００３２】
この場合には、測定者が、生体信号送信装置３０の識別が外観から認識できるように、生体信号送信装置３０に番号や記号を付したり、色分けしておいたりするのが望ましい。生体信号送信装置３０の色分けについて、生体信号送信装置３０を１２誘導心電図の測定に使用する場合には、カラーコードを合わせるのが望ましい。
また、無線送信部３４３への識別情報として、設定スイッチを装置本体部３３に設けることも可能である。
【００３３】
電源供給部３４４は、一対の接触端子部３１のそれぞれの接触電極３１１が電極パッド２０の端子部により短絡したときに、電池Ｃからの電源が、増幅部３４１とＡＤ変換部３４２と無線送信部とに通電される。
【００３４】
以上のように構成された本発明の実施の形態に係る生体信号送信装置３０の動作および使用状態を図面に基づいて説明する。
図１に示す生体信号送信装置３０を電極パッド２０に接続する前の状態では、接触電極３１１の間は開放状態である。電源供給部３４４は、接触電極３１１間が高抵抗状態であることから、電池Ｃからの電源を、増幅部３４１とＡＤ変換部３４２と無線送信部３４３に供給しない。従って、接触電極３１１間が開放状態であるときには、電源供給部３４４が電池Ｃからの電源を供給しないので、無駄な通電を排除することができる。このことにより、電源供給部３４４は、電池Ｃの寿命を長持ちさせることができる。また、生体信号送信装置３０に電源スイッチを設ける必要がないので、小型化やコストダウンを図ることができる。
【００３５】
被測定者に取り付ける電極パッド２０が、図１に示すスナップ型の電極パッド２１である場合には、図５に示すように、測定者は、接触電極３１１と、弾性突状部３２の先端部とにより囲まれた隙間３２４に、スナップ型の電極パッド２１の端子部２１２を押し込む。弾性突状部３２は、その先端部が弾性変形することで隙間３２４が拡がる。また、接触端子部３１の腕部３１２も端子部２１２の押し込みの際に撓むことで、隙間３２４が拡がる。
【００３６】
そして、端子部２１２が隙間３２４に押し込まれると、弾性突状部３２の弾性力により端子部２１２が、接触電極３１１と、弾性突状部３２との間で挟み込まれる。
弾性突状部３２の弾性変形することで、隙間３２４より直径の大きい端子部２１２であっても、接触電極３１１と、弾性突状部３２との間に端子部２１２を嵌め込むことができる。また、弾性突状部３２の先端部に凹部３２３が形成されていることで、端子部２１２の外周面に嵌って押さえ付けることができる。そのため、接触電極３１１と弾性突状部３２とにより、しっかりと端子部２１２を保持することができる。
【００３７】
接触電極３１１と弾性突状部３２との間に端子部２１２が嵌め込まれることで、一対の接触電極３１１の間は、端子部２１２によって短絡状態となる。図４に示すように、電源供給部３４４は、接触電極３１１間が短絡状態となることで、電池Ｃからの電源を、増幅部３４１とＡＤ変換部３４２と無線送信部３４３へ供給する。
【００３８】
測定者は、スナップ型の電極パッド２１を、被測定者の所定位置の皮膚面にパッド部２１１の粘着面を向けて貼り付ける。スナップ型の電極パッド２１の端子部２１２からの微弱な生体信号は、一対の接触電極３１１のうち一方の接触電極３１１から増幅部３４１により増幅される。増幅部３４１により増幅された生体信号は、ＡＤ変換部３４２によりアナログ信号からデジタル信号へ変換される。デジタル信号に変換された生体信号は、生体信号送信装置３０を識別する情報と共に、無線送信部３４３により、データとして、通信パケットに含められる。
そして、無線送信部３４３は、通信パケットを無線信号として、アンテナ３４５を介して受信装置４０へ送信する。
【００３９】
受信装置４０では、無線信号から生体信号を取り出し、記憶手段に記憶したり、印刷手段により印刷したりすることで、測定者は被測定者の１２誘導心電図を記録することができる。
【００４０】
次に、電極パッド２０として、タブ型の電極パッド２２を使用する場合を、図６に基づいて説明する。
被測定者に取り付ける電極パッド２０が、図１に示すタブ型の電極パッド２２である場合には、図６に示すように、測定者は、接触端子部３１の腕部３１２と、弾性突状部３２の斜辺との間の隙間３２１に、タブ型の電極パッド２２のタブ部２２２を差し込む。このとき、測定者は、タブ部２２２の皮膚面側の端子部を、接触電極３１１に向くようにして、タブ型の電極パッド２２を隙間３２１に差し込む。
このようにして、接触電極３１１がタブ部２２２の端子部に接触した状態で、接触端子部３１の接触電極３１１および腕部３１２と、弾性突状部３２の斜辺との間で、タブ部２２２を挟み込むことができる。
【００４１】
接触電極３１１と弾性突状部３２との間に端子部２１２が挟み込まれることで、一対の接触電極３１１の間は、タブ部２２２の端子部によって短絡状態となる。図４に示すように、電源供給部３４４は、接触電極３１１間が短絡状態となることで、電池Ｃからの電源を、増幅部３４１とＡＤ変換部３４２と無線送信部３４３へ供給する。
【００４２】
測定者は、タブ型の電極パッド２２のパッド部２１１を、被測定者の所定位置の皮膚面にパッド部２２１の粘着面を向けて貼り付けて測定を開始する。測定が開始されれば、後の動作は、スナップ型の電極パッド２１と同じなので、説明は省略する。
【００４３】
以上のように本実施の形態に係る生体信号送信装置３０によれば、図１に示すように、無線信号により受信装置４０へ生体信号を送信するため、被測定者と心電計等の受信装置４０との配線が不要であり、また、電極パッド２０と生体信号送信装置３０との間に配線が不要である。そのため、生体信号送信装置３０は、被測定者が、ベッドに横たわって安静にしているときだけでなく、日常の生活をしていて携帯用のイベントレコーダで生体信号を記録しているときや、運動能力を測定するために自転車エルゴメータに搭乗して、生体信号を記録しているときなど、生体情報を支障なく測定することができるので利便性が高い。
【００４４】
また、図５に示すように、生体信号送信装置３０は、装置本体部３３から突出した接触端子部３１の接触電極３１１と、弾性突状部３２との間に、パッド部２１１から突出した端子部２１２を嵌め込むことで、端子部２１２と接触電極３１１とを接触させることができ、端子部２１２を挟み込むことができる。従って、生体信号送信装置３０は、端子部２１２がパッド部２１１から突出した使い捨てのスナップ型の電極パッドが使用できるので、生体信号送信装置３０を使い捨てしなくてもよい。
【００４５】
また、図６に示すように、生体信号送信装置３０は、弾性突状部３２が、接触端子部３１との間で、スリット状の隙間３２１を介して、装置本体部３３に設けられている。そのため、この隙間３２１にタブ型の電極パッド２２を差し込んで、タブ部２２２の端子部を接触電極３１１に接触させて、接触電極３１１および腕部３１２と、弾性突状部３２とにより、タブ型の電極パッド２２を、挟み込むことができる。従って、生体信号送信装置３０は、シート状に形成された使い捨てのタブ型の電極パッド２２も使用することができる。
【００４６】
よって、生体信号送信装置３０は、高い利便性を有すると共に、スナップ型やタブ型の使い捨て電極パッドが使用できるので、衛生的でコストを抑えることができる。
なお、本実施の形態では、端子部２１２がパッド部２１１の中央部から突出しているが、端子部２１２がパッド部２１１の端部から突出した電極パッドであっても、端子部が吐出していれば、生体信号送信装置３０は、問題なく使用することができる。
【００４７】
更に、生体信号送信装置３０は、図２に示すように、接触端子部３１が、三角状の突起部３２２として形成された弾性突状部３２の斜辺３２ａに沿って、互いが接近するように、一対形成されている。そのため、タブ型の電極パッド２２（図６参照）を使用するときに、タブ部２２２の挿入方向と直交する方向に沿ってスリットが直線状に形成されたものと比較して、弾性突状部３２と、一対の接触端子部３１とによるハ字状の隙間３２１に、タブ型の電極パッド２２を挟み込めば、タブ部２２２の端子部を挟み込む範囲を広く確保することができるので、しっかりと、端子部を挟み込むことができる。
【００４８】
測定者が、被測定者に対して、生体信号送信装置３０を使用して生体情報を測定しているうちに、電池Ｃが消耗した場合には、図３に示す電池ホルダー部３３３を引き出して電池Ｃを交換する。装置本体部３３に、電池Ｃを収納する電池ホルダー部３３３が形成されているため、電池Ｃの交換が容易である。従って、測定者は、電極パッド２０を交換したり、電池Ｃを交換したりしながら、生体信号送信装置３０を長く使用することができる。
【００４９】
なお、本実施の形態に係る生体信号送信装置３０では、接触端子部３１の腕部３１２が先端部で繋がっておらず、接触電極３１１が腕部３１２の先端から腕部３１２が延びる方向に沿って突出している。しかし、図７に示すように、この腕部３１２は、先端部で繋がっていてもよい。この場合には、接触電極３１１が、腕部３１２の先端部の内側面から隙間３２４に突出するように設けることで、スナップ型の電極パッド２１の端子部２１２を、接触電極３１１と弾性突状部３２との間で挟み込むことができる。
【００５０】
また、実施の形態では、電池Ｃを電源としているが、電池の代わりに電気二重層コンデンサなどのスーパーキャパシタを用いて外部から充電して電源として用いてもよい。
【００５１】
更に、本実施の形態では、生体信号送信装置を用いた生体信号処理システム１０として、１２誘導心電図を測定する心電計を例に説明したが、四肢誘導心電図の他、２誘導のもの、１誘導のもの、１２誘導よりチャンネル数が多いものなどでも、本発明の生体信号送信装置を用いることができる。
【００５２】
また、本発明の生体信号送信装置は、生体の皮膚面に取り付けられる電極器具から入力した生体信号を無線信号として送信し、無線信号を受信する受信装置側にて測定するものであれば、他の測定装置でも応用することができる。
【００５３】
例えば、応用できるものとして、以下のものがあげられる。
（１）脳波を測定する脳波モニタ、中枢神経系の麻酔深度を測定するＢＩＳ（二波長指数bispectral index(en)）モニタ
（２）筋電図
（３）電気生理学な生体信号を測定するもので、神経伝導速度計などの電気生理学的モニタ（ＳＥＰ（体性感覚誘発電位：Somatosensory Evoked Potentials））
（４）脳表面血流を測定する光トポグラフィ（登録商標）
（５）呼吸数モニタ
（６）ＣＧＭ（血糖値の経時的モニタ：Continuous Glucose Monitoring）
【００５４】
上記測定装置において、被測定者に取り付けられる電極器具は、電極部が、直接皮膚面と接触して、電極部からの生体情報である電気信号をそのまま出力するものであれば、電極器具は、図１に示すスナップ型の電極パッド２１やタブ型の電極パッド２２のような形状の電極器具とすることで、本発明の生体信号送信装置を接続することができる。
また、呼吸数モニタでは、電極器具に内蔵される呼吸を検出するセンサからの電気信号を、突起状の端子部や、タブ状の端子部から出力させることで、本発明の生体信号送信装置を接続することができる。
また、光トポグラフィでは、電極器具に内蔵される光検出センサからの電気信号を、突起状の端子部や、タブ状の端子部から出力することで、本発明の生体信号送信装置を接続することができる。
更に、ＣＧＭでは、電極器具に内蔵される血糖値測定センサからの電気信号を、突起状の端子部や、タブ状の端子部から出力することで、本発明の生体信号送信装置を接続することができる。
【産業上の利用可能性】
【００５５】
本発明は、被測定者の生体情報を測定するときに、ワイヤレスで測定できるので、医療施設や介護施設、に好適である。
【符号の説明】
【００５６】
１０  生体信号処理システム
２０  電極パッド
２１  スナップ型の電極パッド
２１１  パッド部
２１２  端子部
２２  タブ型の電極パッド
２２１  パッド部
２２２  タブ部
３０  生体信号送信装置
３１  接触端子部
３１１  接触電極
３１２  腕部
３２  弾性突状部
３２ａ  斜辺
３２１  隙間
３２２  突起部
３２３  凹部
３２４  隙間
３３  装置本体部
３３１  板状部
３３２  収納部
３３３  電池ホルダー部
３４１  増幅部
３４２  ＡＤ変換部
３４３  無線送信部
３４４  電源供給部
３４５  アンテナ
４０  受信装置
Ｍ  被測定者
Ｃ  電池
【図１】
2015112144.tif 000003
【図２】
2015112144.tif 000004
【図３】
2015112144.tif 000005
【図４】
2015112144.tif 000006
【図５】
2015112144.tif 000007
【図６】
2015112144.tif 000008
【図７】
2015112144.tif 000009